(57)【要約】【課題】差動信号入力であってもシングルエンド信号入力であっても受信可能で、シングルエンド信号の入力時には正論理信号であっても負論理信号であっても対応でき、しかも端子数を可能な限り少なくすることが可能な信号中継装置を提供する。【解決手段】差動信号生成部１、第１および第２の選択手段Ｅ１，Ｅ２を備える。差動信号生成部１は、正極側入力端子Ｉ１からの入力信号Ｓ１と負極側入力端子Ｉ２からの入力信号Ｓ２を入力し両者の差動信号ΔＳを出力する。第１の選択手段Ｅ１は、選択信号入力端子Ｉｓからの選択信号Ｓ３と入力信号Ｓ１および入力信号Ｓ２を入力し、入力信号Ｓ１と入力信号Ｓ２のいずれか一方の論理と選択信号Ｓ３の論理とに応じて入力信号Ｓ２と入力信号Ｓ１とのいずれか一方を選択して出力する。第２の選択手段Ｅ２は、選択信号Ｓ３の論理に応じて差動信号生成部１の出力と第１の選択手段Ｅ１の出力とのいずれか一方を選択する。【選択図】図１
2008147911.tif 000002
【特許請求の範囲】
【請求項１】
正極側入力端子からの入力信号と負極側入力端子からの入力信号を入力し両者の差動信号を出力する差動信号生成部と、
選択信号入力端子からの選択信号と前記正極側入力端子からの入力信号および前記負極側入力端子からの入力信号を入力し、前記正極側入力端子からの入力信号と前記負極側入力端子からの入力信号のいずれか一方の論理と前記選択信号の論理とに応じて前記負極側入力端子からの入力信号と前記正極側入力端子からの入力信号とのいずれか一方を選択して出力する第１の選択手段と、
前記選択信号入力端子からの前記選択信号の論理に応じて前記差動信号生成部の出力と前記第１の選択手段の出力とのいずれか一方を選択して出力する第２の選択手段とを備えた信号中継装置。
【請求項２】
前記差動信号生成部は、前記選択信号が前記第１状態信号のときは動作可能状態に制御され、前記選択信号が前記第２状態信号のときは動作停止状態に制御される請求項１に記載の信号中継装置。
【請求項３】
前記第１の選択手段は、前記選択信号が前記第２状態信号のときは動作可能状態に制御され、前記選択信号が前記第１状態信号のときは動作停止状態に制御にされる請求項１または請求項２に記載の信号中継装置。
【請求項４】
前記第１の選択手段と前記第２の選択手段との間に、前記選択信号の論理に応じて遅延効果が切り替えられる遅延調整手段が挿入されている請求項１から請求項３までのいずれかに記載の信号中継装置。
【請求項５】
前記第１の選択手段は、その構成素子が正極性用と負極性用とで等価に構成され、かつ前記正極側入力端子までの配線抵抗値と前記負極側入力端子までの配線抵抗値とが互いに等しくされている請求項１から請求項４までのいずれかに記載の信号中継装置。
【請求項６】
前記第１の選択手段は、ＮＡＮＤ型回路とＮＯＲ型回路とで構成されている請求項５に記載の信号中継装置。
【請求項７】
前記第１の選択手段は、ＮＯＲ型回路のみで構成されている請求項５に記載の信号中継装置。
【請求項８】
請求項１から請求項７までのいずれかに記載の信号中継装置が複数並列配置された表示駆動装置であって、
前記正極側入力端子に正論理クロックを入力し前記負極側入力端子に論理固定の制御信号を入力する形態の第１の信号中継装置と、前記負極側入力端子に負論理クロックを入力し前記正極側入力端子に前記論理固定の制御信号を入力する形態の第２の信号中継装置とが、交互に配置されている表示駆動装置。
【請求項９】
請求項１から請求項７までのいずれかに記載の信号中継装置の複数が並列配置されたデータドライバと、これら複数の信号中継装置に対してクロック、制御信号を供給するコントローラとからなるドットマトリックス型表示装置。
【発明の詳細な説明】
【技術分野】
【０００１】
本発明は、差動信号の受信とシングルエンド信号の受信とを切り替え可能な信号中継装置に関する。本発明の信号中継装置は、特に表示装置の分野において有用なものである。
【背景技術】
【０００２】
フラットパネルディスプレイなどの表示装置において、表示データに応じた電圧信号を表示素子に印加するための表示駆動装置が並列配置されている。各表示駆動装置には表示データ、基準クロック、制御信号などが供給される。本発明の信号中継装置は、このような表示駆動装置を主な対象とする。
【０００３】
近年、フラットパネルディスプレイはサイズや用途が多様化し、これに伴って、表示駆動装置に供給される信号の種類も多様化している。例えば、シングルエンド信号インターフェース、ＲＳＤＳ（Reduced Swing DifferentialSignaling：商標登録）、ＬＶＤＳ（Low Voltage Differential Signaling：商標登録）など様々である。後二者は差動信号である。このような背景の中で、多様な供給信号に対応できる表示駆動装置の開発が求められている（例えば特許文献１参照）。
【特許文献１】特開２００５−２８４２１７号公報（第６−１１頁、第１−１１図）
【発明の開示】
【発明が解決しようとする課題】
【０００４】
上記のような多様なインターフェースに対応するための技術開発の一環として、差動信号入力にもシングルエンド信号入力にも対応できること、シングルエンド信号の入力の場合には正論理信号でも負論理信号でも対応できること、さらに端子数を可能な限り少なくすることが求められている。
【０００５】
したがって、本発明は、端子数を可能な限り少なくしながら、差動信号でもシングルエンド信号でも受信可能で、シングルエンド信号の場合には正論理信号でも負論理信号でも対応可能な信号中継装置を提供することを目的とする。
【０００６】
また、シングルエンド信号インターフェースの場合、信号配線上で発生するＥＭＩ（電子輻射ノイズ）が課題となっている。そこで、シングルエンド信号の入力時にはＥＭＩを低減できるようにすることを目的とする。
【課題を解決するための手段】
【０００７】
本発明による信号中継装置は、
正極側入力端子からの入力信号と負極側入力端子からの入力信号を入力し両者の差動信号を出力する差動信号生成部と、
選択信号入力端子からの選択信号と前記正極側入力端子からの入力信号および前記負極側入力端子からの入力信号を入力し、前記正極側入力端子からの入力信号と前記負極側入力端子からの入力信号のいずれか一方の論理と前記選択信号の論理とに応じて前記負極側入力端子からの入力信号と前記正極側入力端子からの入力信号とのいずれか一方を選択して出力する第１の選択手段と、
前記選択信号入力端子からの前記選択信号の論理に応じて前記差動信号生成部の出力と前記第１の選択手段の出力とのいずれか一方を選択して出力する第２の選択手段とを備えたものである。
【０００８】
この構成において、選択信号として第１状態信号（“Ｌ”または“Ｈ”のいずれか一方）を入力すると、第２の選択手段が差動信号生成部の出力を選択するものとする（差動信号受信モード）。また、選択信号として第２状態信号（“Ｈ”または“Ｌ”のいずれか一方）を入力すると、第２の選択手段が第１の選択手段の出力を選択するものとする（シングルエンド信号受信モード）。このとき、第１の選択手段は、第２状態信号と正極側入力端子からの論理固定の入力信号との論理の組み合わせにより負極側入力端子からの入力信号を選択し、また、第２状態信号と負極側入力端子からの論理固定の入力信号との論理の組み合わせにより正極側入力端子からの入力信号を選択することとなる。
【０００９】
上記構成の信号中継装置によれば、差動信号の入力端子がシングルエンド信号の入力端子を兼用することが可能となっている。そして、正極側入力端子からの入力信号と負極側入力端子からの入力信号との差動信号を選択する状態と、正極側入力端子からの入力信号を選択する状態と、負極側入力端子からの入力信号を選択する状態との３つの選択可能な状態をもたせることが可能になっている。
【００１０】
以上を要するに、差動信号入力であってもシングルエンド信号入力であっても受信可能で、さらに、シングルエンド信号の入力時には、シングルエンド信号が正論理信号であっても負論理信号であっても、正論理入力か負論理入力かを切り換えるための専用の信号を必要とせずに動作させることが可能となっている。これにより、端子数の増加を極力抑えることが可能となっている。
【００１１】
上記構成の信号中継装置において、前記差動信号生成部は、前記選択信号が前記第１状態信号のときは動作可能状態に制御され、前記選択信号が前記第２状態信号のときは動作停止状態に制御されるという態様がある。このように構成すれば、差動信号入力時には差動信号生成部がアクティブにされるが、シングルエンド信号入力時には差動信号生成部は動作停止とされ、消費電流の削減が可能となる。
【００１２】
また上記構成の信号中継装置において、前記第１の選択手段は、前記選択信号が前記第２状態信号のときは動作可能状態に制御され、前記選択信号が前記第１状態信号のときは動作停止状態に制御にされるという態様がある。このように構成すれば、シングルエンド信号入力時には第１の選択手段はアクティブとされるが、差動信号入力時には第１の選択手段は動作停止とされ、消費電流の削減が可能となる。
【００１３】
また上記構成の信号中継装置において、前記第１の選択手段と前記第２の選択手段との間に、前記選択信号の論理に応じて遅延効果が切り替えられる遅延調整手段が挿入されているという態様がある。差動信号受信モードの場合とシングルエンド信号受信モードの場合とで信号が伝播する経路が異なるため、遅延時間に差が生じる。そこで、差動信号であってもシングルエンド信号であっても遅延時間が同じになるよう、遅延調整手段を第１の選択手段と第２の選択手段との間に挿入している。この構成によれば、差動信号受信モードとシングルエンド信号受信モードとの経路長の差に起因する遅延時間の差異を吸収し、いずれのモードでも信号到達時間を等しくすることが可能となる。
【００１４】
また上記構成の信号中継装置において、前記第１の選択手段は、その構成素子が正極性用と負極性用とで等価に構成され、かつ前記正極側入力端子までの配線抵抗値と前記負極側入力端子までの配線抵抗値とが互いに等しくされているという態様がある。このように構成すれば、正極側入力端子に対する寄生容量と負極側入力端子に対する寄生容量が等しくなり、正論理入力に対しても負論理入力に対してもともにタイミング調整をする必要がなくなる。
【００１５】
また上記構成の信号中継装置において、前記第１の選択手段は、ＮＡＮＤ型回路とＮＯＲ型回路とで構成されているという態様がある。あるいは、前記第１の選択手段は、ＮＯＲ型回路のみで構成されているという態様もある。ＮＡＮＤ型回路やＮＯＲ型回路は、入力の一方を“Ｈ”または“Ｌ”に固定するとインバータになり、他方の入力を選択して反転した上で出力する。
【００１６】
また、本発明による表示駆動装置は、上記のいずれかの信号中継装置が複数並列配置された表示駆動装置であって、前記正極側入力端子に正論理クロックを入力し前記負極側入力端子に論理固定の制御信号を入力する形態の第１の信号中継装置と、前記負極側入力端子に負論理クロックを入力し前記正極側入力端子に前記論理固定の制御信号を入力する形態の第２の信号中継装置とが、交互に配置されているものである。
【００１７】
表示パネルの辺に沿って複数の信号中継装置を並列配置している表示駆動装置において、コントローラから信号配線を介してクロックを伝送すると、隣接する信号配線に流れるデータ信号に対してクロックがＥＭＩ（電子輻射ノイズ）の原因となる可能性がある。このＥＭＩを抑制する。すなわち、第１の信号中継装置と第２の信号中継装置とを交互に配置し、第１の信号中継装置に対して正論理クロックを供給する信号配線と第２の信号中継装置に対して負論理クロックを供給する信号配線を並走することにより、シングルエンド信号受信モードにおいて、正論理クロックの信号配線から発生するＥＭＩと負論理クロックの信号配線から発生するＥＭＩとが電磁的に相殺され、その結果としてＥＭＩを低減させることが可能となる。
【００１８】
また、本発明によるドットマトリックス型表示装置は、上記のいずれかの信号中継装置の複数が並列配置されたデータドライバと、これら複数の信号中継装置に対してクロック、制御信号を供給するコントローラとからなるものである。
【発明の効果】
【００１９】
本発明によれば、差動信号入力であってもシングルエンド信号入力であっても受信可能で、さらに、シングルエンド信号の入力時には、シングルエンド信号が正論理信号であっても負論理信号であっても、正論理入力か負論理入力かを切り換えるための専用の信号を必要とせずに動作させることができ、端子数の増加を極力抑えることが可能となっている。その結果として、１つの信号中継装置で多様なインターフェースに対応可能となる。
【発明を実施するための最良の形態】
【００２０】
以下、本発明にかかわる信号中継装置の実施の形態を図面を用いて詳細に説明する。
【００２１】
（実施の形態１）
図１は本発明の実施の形態１における信号中継装置の構成を示す回路図である。図１において、Ａは信号中継装置（例えば液晶駆動装置もしくはデータドライバ）、Ｉ１は差動信号の正極側入力端子、Ｉ２は差動信号の負極側入力端子、Ｉｓは選択信号入力端子、１は差動信号生成部、Ｅ１は第１の選択手段、Ｅ２は第２の選択手段である。
【００２２】
この信号中継装置Ａは、選択信号入力端子Ｉｓからの選択信号Ｓ３の論理に応じて、２つの受信モードすなわち差動信号受信モードとシングルエンド信号受信モードとを切り替えるようになっている。つまり、選択信号Ｓ３が“Ｌ”レベルのときは差動信号受信モードが選択され、選択信号Ｓ３が“Ｈ”レベルのときはシングルエンド信号受信モードが選択されるようになっている。以下、信号中継装置Ａの詳細を説明する。
【００２３】
差動信号生成部１は、正極側入力端子Ｉ１からの入力信号Ｓ１と負極側入力端子Ｉ２からの入力信号Ｓ２とを入力とし、両者の差動信号に変換して出力するものである。差動信号生成部１は、選択信号入力端子Ｉｓからの選択信号Ｓ３が“Ｌ”レベルのときに動作し、選択信号Ｓ３が“Ｈ”レベルのときは動作停止状態となる。
【００２４】
第１の選択手段Ｅ１は、選択信号入力端子Ｉｓからの選択信号Ｓ３が“Ｈ”レベルのときに動作し、正極側入力端子Ｉ１からの入力信号Ｓ１と負極側入力端子Ｉ２からの入力信号Ｓ２とのいずれか一方を選択して、第２の選択手段Ｅ２へ出力するものである。すなわち、入力信号Ｓ２を“Ｈ”レベルに固定することにより入力信号Ｓ１が選択され、入力信号Ｓ１を“Ｌ”レベルに固定することにより入力信号Ｓ２が選択されるようになっている。選択信号Ｓ３が“Ｌ”レベルのときは、第１の選択手段Ｅ１は不動作状態となる。図示例の場合、第１の選択手段Ｅ１は、２つのＮＡＮＤ回路と１つのＮＯＲ回路から構成されている。
【００２５】
第２の選択手段Ｅ２は、選択信号入力端子Ｉｓからの選択信号Ｓ３が“Ｌ”レベルのときは差動信号受信部１から出力される差分信号ΔＳを選択して出力し、選択信号Ｓ３が“Ｈ”レベルのときは第１の選択手段Ｅ１から出力される選択結果信号Ｓを選択して出力するものである。
【００２６】
次に、以上のように構成された本実施の形態の信号中継装置の動作を説明する。
【００２７】
（１）差動信号受信モードの動作
選択信号Ｓ３が“Ｌ”レベルとされて差動信号受信モードが選択されると、差動信号生成部１はアクティブな状態となる。正極側入力端子Ｉ１に入力信号Ｓ１が入力され、負極側入力端子Ｉ２に入力信号Ｓ２が入力され、差動信号生成部１によって両信号の差分がとられた差分信号ΔＳが第２の選択手段Ｅ２へ出力される。ここで、選択信号Ｓ３が“Ｌ”レベルであるので、第２の選択手段Ｅ２は差動信号生成部１からの差分信号ΔＳを選択して出力する。
【００２８】
なお、第１の選択手段Ｅ１においては、選択信号Ｓ３が“Ｌ”レベルであるので、ＮＡＮＤ回路が２つとも閉状態となる。選択結果信号Ｓは“Ｌ”レベル固定となっているが、この選択結果信号Ｓは第２の選択手段Ｅ２では選択されない。
【００２９】
（２）シングルエンド信号受信モードの動作
選択信号Ｓ３が“Ｈ”レベルとされてシングルエンド信号受信モードが選択されると、第１の選択手段Ｅ１のＮＡＮＤ回路は２つとも開状態となる。ＮＡＮＤ回路の動作特性は、一方の入力が“Ｈ”レベルのときに他の入力にとってのインバータとして動作するというものである。
【００３０】
まず、正極側入力端子Ｉ１に正論理入力が入力される場合について説明する。このとき、負極側入力端子Ｉ２を“Ｈ”レベルに固定する。その結果、第１の選択手段Ｅ１において、ＮＡＮＤ回路Ｇ２の出力は常時“Ｌ”、ＮＯＲ回路Ｇ３の入力は常時“Ｌ”となり、正極側入力端子Ｉ１からの入力信号Ｓ１がＮＡＮＤ回路Ｇ１およびＮＯＲ回路Ｇ３を通って選択結果信号Ｓとなり、第２の選択手段Ｅ２に出力される。ここで、選択信号Ｓ３が“Ｈ”レベルであるので、第２の選択手段Ｅ２は第１の選択手段Ｅ１からの選択結果信号Ｓを選択して出力する。選択結果信号Ｓは、正極側入力端子Ｉ１に入力される正論理信号に応じて変化する。
【００３１】
次に、負極側入力端子Ｉ２に負論理入力が入力される場合について説明する。このとき、正極側入力端子Ｉ１を“Ｌ”レベルに固定する。その結果、第１の選択手段Ｅ１において、ＮＡＮＤ回路Ｇ１の出力は常時“Ｈ”、ＮＯＲ回路Ｇ３の入力は常時“Ｌ”となり、負極側入力端子Ｉ２からの入力信号Ｓ２がＮＡＮＤ回路Ｇ２およびＮＯＲ回路Ｇ３を通って選択結果信号Ｓとなり、第２の選択手段Ｅ２に出力される。ここで、選択信号Ｓ３が“Ｈ”レベルであるので、第２の選択手段Ｅ２は第１の選択手段Ｅ１からの選択結果信号Ｓを選択して出力する。選択結果信号Ｓは、負極側入力端子Ｉ２に入力される正論理信号に応じて変化する。
【００３２】
一方、差動信号生成部１は、選択信号Ｓ３が“Ｈ”レベルとされると、動作停止状態となり、消費電流が削減される。
【００３３】
本実施の形態によれば、差動信号入力の端子とシングルエンド信号入力の端子とを端子Ｉ１と端子Ｉ２とで兼用し、正極側入力端子Ｉ１からの入力信号Ｓ１と負極側入力端子Ｉ２からの入力信号Ｓ２との差分信号ΔＳを選択する状態と、正極側入力端子Ｉ１からの入力信号Ｓ１を選択する状態と、負極側入力端子Ｉ２からの入力信号Ｓ２を選択する状態との３つの選択可能な状態をもたせることが可能になっている。さらに、シングルエンド信号入力時には、シングルエンド信号入力が正論理入力であっても負論理であっても、正論理入力か負論理入力かを切り換えるための専用の信号を必要とせずに動作させることができる。これにより、端子数の増加を極力抑えることが可能となっている。
【００３４】
（実施の形態２）
図２は本発明の実施の形態２における信号中継装置の構成を示す回路図である。図２において、実施の形態１の図１におけるのと同じ符号は同一構成要素を指している。本実施の形態に特有の構成は、次のとおりである。第１の選択手段Ｅ１がＮＯＲ回路のみを用いて構成されている。Ｇ１′，Ｇ２′はＮＯＲ回路である。第２の選択手段Ｅ２の動作論理は、実施の形態１の場合とは逆になっている。その他の構成については、実施の形態１と同様であるので、説明を省略する。
【００３５】
本実施の形態においては、選択信号入力端子Ｉｓからの受信モードの選択信号Ｓ３が“Ｌ”レベルの場合に、シングルエンド信号受信モードに設定される。正論理入力である入力信号Ｓ１が正極側入力端子Ｉ１に入力される場合、負極側入力端子Ｉ２からの入力信号Ｓ２を“Ｈ”レベルに固定することで、正極側入力端子Ｉ１に入力されたシングルエンド信号としての入力信号Ｓ１が選択され、第２の選択手段Ｅ２に伝わり、“Ｌ”レベルに固定された選択信号Ｓ３により“Ｌ”選択入力端子がアサートされている第２の選択手段Ｅ２において正極側入力端子Ｉ１からの入力信号Ｓ１が選択され、回路内部に入力される。
【００３６】
一方、負論理入力である入力信号Ｓ２が負極側入力端子Ｉ２に入力される場合は、正極側入力端子Ｉ１からの入力信号Ｓ１を“Ｌ”レベルに固定することで、負極側入力端子Ｉ２に入力されたシングルエンド信号としての入力信号Ｓ２が選択され、第２の選択手段Ｅ２において負極側入力端子Ｉ２からの入力信号Ｓ２が選択され、回路内部に入力される。
【００３７】
（実施の形態３）
図３は本発明の実施の形態３における信号中継装置の構成を示す回路図である。遅延調整機能にかかわるものである。図３において、２は遅延調整手段、３は内部回路である。その他の構成については、実施の形態１と同様であるので、説明を省略する。
【００３８】
差動信号受信モードの場合、入力された信号は差動信号生成部１を通り、第２の選択手段Ｅ２で選択され、内部回路３に伝達される。一方、シングルエンド信号受信モードの場合は、入力された信号は第１の選択手段Ｅ１を通り、第２の選択手段Ｅ２で選択され、内部回路３に伝達される。このとき、両モードで信号が通る経路が異なるため、遅延時間に差が生じる。そのため、内部回路３に信号が到達するのに要する時間が、差動信号であってもシングルエンド信号であっても同じになるよう、遅延調整手段２を第１の選択手段Ｅ１と第２の選択手段Ｅ２との間に挿入している。遅延調整手段２は、２つの遅延効果素子Ｚ１，Ｚ２をスイッチ素子Ｓｗ１，Ｓｗ２で切り替えるように構成されている。スイッチ素子Ｓｗ１，Ｓｗ２は選択信号Ｓ３によって切り替え制御されるようになっている。遅延効果素子Ｚ１，Ｚ２の遅延効果は、遅延効果素子Ｚ１の方が大きくなっている。
【００３９】
差動信号受信モードの場合、選択信号Ｓ３が“Ｌ”レベルに設定され、差動信号生成部１からの差分信号ΔＳが第２の選択手段Ｅ２から出力される。このとき、選択信号Ｓ３が“Ｌ”レベルであるので、スイッチ素子Ｓｗ１，Ｓｗ２は遅延効果素子Ｚ１を選択する。したがって、第２の選択手段Ｅ２から出力される差分信号ΔＳは遅延効果素子Ｚ１を通って内部回路３に入力される。遅延効果素子Ｚ１は遅延効果が大である。
【００４０】
一方、シングルエンド信号受信モードの場合、選択信号Ｓ３が“Ｈ”レベルに設定され、第１の選択手段Ｅ１からの選択結果信号Ｓが第２の選択手段Ｅ２から出力される。このとき、選択信号Ｓ３が“Ｈ”レベルであるので、スイッチ素子Ｓｗ１，Ｓｗ２は遅延効果素子Ｚ２を選択する。したがって、第２の選択手段Ｅ２から出力される選択結果信号Ｓは遅延効果素子Ｚ２を通って内部回路３に入力される。遅延効果素子Ｚ２は遅延効果が小である。
【００４１】
以上のように本実施の形態によれば、遅延調整手段２を挿入したので、差動信号受信モードとシングルエンド信号受信モードとの経路長の差に起因する遅延時間の差異を吸収し、いずれのモードでも内部回路３への信号到達時間を等しくすることができる。
【００４２】
（実施の形態４）
本発明の実施の形態４においては、上記で説明した図１または図２または図３の回路構成が踏襲される。
【００４３】
本実施の形態においては、差動信号の正極側入力端子Ｉ１および負極側入力端子Ｉ２に寄生する容量が等しくなるよう、正極側入力端子Ｉ１、負極側入力端子Ｉ２から第１の選択手段Ｅ１の入力端子までの配線抵抗値を等しくするとともに、第１の選択手段Ｅ１自身もその構成素子が正極性用と負極性用で等価としている。その結果、正論理入力であっても負論理入力であっても、それぞれでタイミング調整をする必要がなくなる。
【００４４】
（実施の形態５）
図４は本発明の実施の形態５における液晶表示装置１０の概略構成図である。液晶表示パネル１１の上辺に沿って上記の信号中継装置Ａが複数並列配置されているとともに、液晶表示パネル１１の左辺に沿って上記の信号中継装置Ａが複数並列配置されている。ここで、信号中継装置Ａとしては、上記の実施の形態１〜４のいずれでもよい。横方向に並ぶ信号中継装置Ａは液晶表示素子に表示データに応じた電圧を印加するデータドライバとして構成され、縦方向に並ぶ信号中継装置Ａはアクティブなラインを選択する走査ドライバとして構成されている。そして、各信号中継装置Ａは信号配線１２を介してコントローラＢに接続されている。コントローラＢは信号中継装置Ａに対して、表示データ信号、クロック信号、制御信号等を送信するようになっている。ここで、信号中継装置Ａどうしの接続については、カスケード型の接続でもかまわない。
【００４５】
（実施の形態６）
図５は本発明の実施の形態６における表示駆動装置（データドライバ）の構成を示す回路図である。本実施の形態は、ＥＭＩ削減の技術に関するものである。
【００４６】
図４のように液晶表示パネル１１の上辺に沿って複数の信号中継装置Ａを並列配置している表示駆動装置において、コントローラＢから信号配線１２を介してクロックを伝送すると、隣接する信号配線１２に流れるデータ信号に対してクロックがＥＭＩ（電子輻射ノイズ）の原因となる可能性がある。このＥＭＩを抑制するのが本実施の形態である。
【００４７】
図５に示すように、並列配置された複数の信号中継装置Ａのうち、奇数番目の信号中継装置Ａ１，Ａ３…に対する結線状態と偶数番目の信号中継装置Ａ２，Ａ４…に対する結線とが相違している。複数の信号中継装置Ａに対して共通に設けられたコントローラＢは、正論理クロックＣＫ１、負論理クロックＣＫ２、選択信号Ｓ３および制御信号Ｓ４を出力するように構成されている。信号中継装置ＡおよびコントローラＢは半導体集積回路で構成されている。
【００４８】
奇数番目の信号中継装置Ａ１，Ａ３…においては、差動信号生成部１の非反転入力端子（＋）に正論理クロックＣＫ１が入力され、反転入力端子（−）に制御信号Ｓ４が入力されている。すなわち、正極側入力端子Ｉ１からの入力信号Ｓ１＝正論理クロックＣＫ１、負極側入力端子Ｉ２からの入力信号Ｓ２＝制御信号Ｓ４の関係である。奇数番目の信号中継装置Ａ１，Ａ３…は、正論理クロック入力モードの仕様となっている。
【００４９】
一方、偶数番目の信号中継装置Ａ２，Ａ４…においては、差動信号生成部１の非反転入力端子（＋）に制御信号Ｓ４が入力され、反転入力端子（−）に負論理クロックＣＫ２が入力されている。すなわち、正極側入力端子Ｉ１からの入力信号Ｓ１＝制御信号Ｓ４、負極側入力端子Ｉ２からの入力信号Ｓ２＝負論理クロックＣＫ２の関係である。偶数番目の信号中継装置Ａ２，Ａ４…は、負論理クロック入力モードの仕様となっている。
【００５０】
選択信号Ｓ３については、奇数番目の信号中継装置Ａ１，Ａ３…と偶数番目の信号中継装置Ａ２，Ａ４…で同じ関係である。
【００５１】
次に、上記のように構成された本実施の形態の信号中継装置の動作を説明する。
【００５２】
選択信号Ｓ３が“Ｈ”レベルでシングルエンド信号受信モードに設定されている状態で、コントローラＢから正論理クロックＣＫ１と負論理クロックＣＫ２の両方が出力されている。
【００５３】
奇数番目の信号中継装置Ａ１，Ａ３…においては、第１の選択手段Ｅ１に対して負極側入力端子Ｉ２からの入力信号Ｓ２すなわち制御信号Ｓ４が“Ｈ”レベル固定とされ、その結果、正極側入力端子Ｉ１からの入力信号Ｓ１すなわち正論理クロックＣＫ１が選択される。
【００５４】
一方、偶数番目の信号中継装置Ａ２，Ａ４…においては、第１の選択手段Ｅ１に対して正極側入力端子Ｉ１からの入力信号Ｓ１すなわち制御信号Ｓ４が“Ｈ”レベル固定とされ、その結果、負極側入力端子Ｉ２からの入力信号Ｓ２すなわち負論理クロックＣＫ２が選択される。
【００５５】
本実施の形態においては、コントローラＢから信号中継装置Ａへの正論理クロックＣＫ１の信号配線と負論理クロックＣＫ２の信号配線とを並走させており、それらが互いに逆相の信号であることから、それぞれから発生するＥＭＩを互いに相殺し、ＥＭＩを低減させることができる。また、正論理入力か負論理入力かを切り替えるための専用の信号を必要としない。
【００５６】
なお、奇数番目が負論理入力で偶数番目が正論理入力でもよい。
【産業上の利用可能性】
【００５７】
本発明の技術は、差動信号受信モードやシングルエンド信号受信モードなど多様なインターフェースに１つで対応可能な信号中継装置や、それを用いた表示駆動装置、表示信号転送装置等として有用である。
【図面の簡単な説明】
【００５８】
【図１】本発明の実施の形態１における信号中継装置の構成を示す回路図
【図２】本発明の実施の形態２における信号中継装置の構成を示す回路図
【図３】本発明の実施の形態３における信号中継装置の構成を示す回路図
【図４】本発明の実施の形態５における液晶表示装置の概略構成図
【図５】本発明の実施の形態６における表示駆動装置（データドライバ）の構成を示す回路図
【符号の説明】
【００５９】
１  差動信号生成部
２  遅延調整手段
３  内部回路
１０  液晶表示装置
１１  液晶表示パネル
１２  信号配線
Ａ  信号中継装置（表示駆動装置、データドライバ）
Ａ１，Ａ３…  奇数番目の信号中継装置
Ａ２，Ａ４…  偶数番目の信号中継装置
Ｂ  コントローラ
ＣＫ１  正論理クロック
ＣＫ２  負論理クロック
Ｅ１  第１の選択手段
Ｅ２  第２の選択手段
Ｇ１，Ｇ２  ＮＡＮＤ回路
Ｇ１′，Ｇ２′，Ｇ３  ＮＯＲ回路
Ｉ１  差動信号の正極側入力端子
Ｉ２  差動信号の負極側入力端子
Ｉｓ  選択信号入力端子
Ｓ１  正極側入力端子からの入力信号
Ｓ２  負極側入力端子からの入力信号
Ｓ３  選択信号
Ｓ４  制御信号
ΔＳ  差分信号
Ｓ  選択結果信号
【図１】
2008147911.tif 000003
【図２】
2008147911.tif 000004
【図３】
2008147911.tif 000005
【図４】
2008147911.tif 000006
【図５】
2008147911.tif 000007